(57)【要約】【課題】従来モーアデッキの大部分が車体の前端より前方側に突出し作業車両の全長が長く、小回りが効かず、更に、モーアデッキの後部を、前方に移動するスクリューに吊下ロッドの取付メタルを螺合するため、複雑で、嵩張り、昇降移動時に障害となる。【解決手段】作業車両（４）は、前輪（１）（１）より前方に、前部機枠（３）をオーバーハング状態に突出させて構成し、モーアデッキ（５）は、昇降リンク（６）に支持して、前部機枠（３）の下方空間部（７）に配置して構成した。前記モーアデッキ（５）は、昇降リンク（６）の前部に設けた延長アーム（８）に付け替えて、前部機枠（３）より前方側に移動させて前側で昇降する構成とする。【選択図】  図２
2007143481.tif 000002
【特許請求の範囲】
【請求項１】
左右一対の前輪（１）（１）より前方に、車体（２）の前部機枠（３）をオーバーハング状態に突出させて構成した作業車両（４）において、モーアデッキ（５）は、後方から延長した昇降リンク（６）（６）に取り付けて、前記前部機枠（３）の下方空間部（７）に配置して設け、前記モーアデッキ（５）は、前記昇降リンク（６）（６）の前部に設けた延長アーム（８）（８）に付け替えて、前記前部機枠（３）より前方側に移動させて昇降可能に構成したフロントモーア。
【請求項２】
前記延長アーム（８）（８）は、不使用時には、前記昇降リンク（６）（６）側に収納し、使用時には前記昇降リンク（６）（６）の前端部より前方に延長して固定する構成とし、前記モーアデッキ（５）は、昇降移動に移るとき、前記昇降リンク（６）（６）から延長した前記延長アーム（８）に付け替えて昇降する構成とした請求項１記載のフロントモーア。
【発明の詳細な説明】
【技術分野】
【０００１】
この発明は、作業車両の前部機枠の下方空間部に、昇降リンクに装着して支持したモーアデッキを配置し、該モーアデッキを、前記昇降リンクの前部に設ける延長アームに付け替えて、前部機枠の前方側で昇降する構成とした作業車両のフロントモーアに関する。
【背景技術】
【０００２】
従来からトラクタ等の作業車両には、フロントモーアやミッドモーアと称して、車体の前部か、又は前部車体の下側、或いは車体中間部の下側（腹の部分）にモーアデッキを装着して、刈取作業を行う構成の作業車両が実用化され、広く普及している。そして、農家等の需要家は、作業車両にフロントモーアを装着する場合、モーアデッキをできるだけ車体の下側空間部内に収納状態に配置し、モーアを含めて車体の全長を短くすることにより、走行作業中に小回りが効き、旋回などの操舵が楽にできる車両が強く要望されている。
【０００３】
例えば、本件出願前に公開されている特開平１０−１１７５４７号公開特許公報には、モーアデッキを、前輪の前側にリフトアームと吊下ロッドとによって支持して設け、車体の前方側で昇降する構成の作業車両が示されている。そして、この場合、モーアデッキは、前記吊下ロッドの基部をスクリューに螺合させて前後に移動調節する構成となっており、刈取姿勢と起立姿勢とに切替できる技術が開示されている。
【特許文献１】特開平１０−１１７５４７号公報
【発明の開示】
【発明が解決しようとする課題】
【０００４】
上述した従来のフロントモーアは、刈取姿勢にあるモーアデッキの大部分が車体の前端部より前方側に突出した状態に構成されており、モーアと車体とを合わせた前後長さが長くなり、走行作業中に小回りが効く構成にはなっていない課題があった。更に、従来装置は、モーアデッキの後部を前方に押し出して起立姿勢に移動する機構として、スクリューに吊下ロッドの取付メタルを螺合した機構を採用しているが、これらの構成は、複雑で、嵩張り、昇降移動中に障害となる課題があった。
【課題を解決するための手段】
【０００５】
この出願は、上記課題を解決するために、請求項１に記載した発明は、左右一対の前輪（１）（１）より前方に、車体（２）の前部機枠（３）をオーバーハング状態に突出させて構成した作業車両（４）において、モーアデッキ（５）は、後方から延長した昇降リンク（６）（６）に支持して、前記前部機枠（３）の下方空間部（７）に配置して設け、前記モーアデッキ（５）は、前記昇降リンク（６）（６）の前部に設けた延長アーム（８）（８）に付け替えて、前記前部機枠（３）より前方側に移動させて昇降可能に構成したフロントモーアであって、モーアデッキ（５）が作業姿勢にあるときには、作業車両（４）とモーアデッキ（５）とを合わせた全体の前後長さを短くすることができるもので、走行作業中には、狭い圃場でも小回りが効いて、旋回等が楽にできて刈取作業を能率よく行うことができる。そして、昇降時に、モーアデッキ（５）を前側に寄せる機構は、延長アーム（８）を使用するもので構成が簡単で、嵩張ることはなく昇降移動には、何らの支障にもならない利点がある。
【０００６】
つぎに、請求項２に記載した発明は、前記延長アーム（８）（８）は、不使用時には、前記昇降リンク（６）（６）側に収納し、使用時には前記昇降リンク（６）（６）の前端部より前方に延長して固定する構成とし、前記モーアデッキ（５）は、昇降に移るとき、前記昇降リンク（６）（６）から延長した前記延長アーム（８）（８）に付け替えて昇降する構成とした請求項１記載のフロントモーアであって、昇降前にモーアデッキ（５）を前方側に寄せる機構が簡単な延長アーム（８）からなり、不使用時（芝刈取作業中など）には昇降リンク（６）側に収納してほとんど邪魔にならず、昇降時には前方側に延長して固定し、モーアデッキ（５）を付け替えるだけの簡単な操作で、確実に前側に寄せて前部機枠（３）の前方を昇降移動することができる。
【発明の効果】
【０００７】
まず、請求項１に記載した発明は、モーアデッキ（５）が作業姿勢にあるときには、モーアデッキ（５）のほとんどの部分が、前部機枠（３）の下方空間部（７）内に位置しているから、モーアデッキ（５）と車体（２）とを合わせた前後の長さを短くすることができて、走行作業中に、狭い圃場でも小回りが効いて、旋回等が楽にでき、作業を効率的に行うことができる優れた特徴がある。そして、この発明は、モーアデッキ（５）を昇降時に前側に寄せる機構が、きわめて簡単な収納・延長式に設けた延長アーム（８）で構成するから、収納位置と使用位置との切替が簡単にできる利点があると共に、使用時に嵩張ることがなく、昇降移動に何らの支障にもならない特徴がある。
【０００８】
そして、請求項２に記載した発明は、モーアデッキ（５）を前方側に寄せる機構を、簡単な延長アーム（８）から構成し、不使用時（刈取作業中など）には昇降リンク（６）側に収納してほとんど邪魔にならず、昇降時には昇降リンク（６）から前方に延長して固定し、モーアデッキ（５）を付け替えるだけの簡単な操作で、確実に前側に寄せることができて昇降が可能な特徴がある。
【発明を実施するための最良の形態】
【０００９】
まず、請求項１の発明は、モーアデッキ５を、刈取姿勢ではオーバーハング状態に前方へ突出している前部機枠３の下方空間部７内に配置して、昇降リンク６，６に取り付け、昇降移動時には、昇降リンク６，６の前部に設けた延長アーム８，８に付け替えて、前記前部機枠３より前方側に移動させて昇降可能に構成したフロントモーアであるから、刈取作業中には、全長が短くて小回りの効く刈取作業車両とし、清掃やメンテナンス等を行うときには、昇降リンク６，６の先端に設けた延長アーム８，８を伸ばして付け替えるだけの簡単な操作で、前部機枠３の前方側に上昇させることができる。
【００１０】
そして、請求項２の発明は、延長アーム８，８を、不使用時には昇降リンク６，６側に収納し、昇降時には前側に延長して固定して使用するもので、構成が簡単で、使用時と不使用時共に何らの邪魔や周囲に対して障害とならない利点がある。
【００１１】
以下、この出願に係る発明の実施例を図面に基づいて具体的に説明する。
まず、作業車両４は、図１、乃至図４に示すように、左右一対の前輪１，１及び後輪９，９を備えた車体２の前部において該前輪１，１の上方に操縦席１０を設け、その前方側に前部機枠３を、前輪１，１に対して側面視オーバーハング状態にして前側に延長し、その上面にフロア１１を形成している。そして、操向ハンドル１２ａを備えたハンドルポスト１２は、前部機枠３の前部に配置して固着した構成としている。
【００１２】
そして、モーアデッキ５は、図３、及び図４に示すように、通常の刈取作業状態では、昇降リンク６，６の前部に取り付けて前記前部機枠３の下方空間部７に配置し、伝動可能な状態に支持して設け、清掃やメンテナンス時には、図２に示すように、昇降リンク６，６から延長アーム８に付け替えて、前記前部機枠３より前方側に移動させて前側で昇降可能に構成しているが、その具体的な構成について説明する。
【００１３】
まず、モーアデッキ５には、図２、図３に示すように、左右一対の回転刈刃１３を縦方向に軸架した刈刃伝動軸１４の下部に軸着して設ける。刈刃伝動軸１４を支持する入力伝動ボックス１７ａ，１７ｂの一方側１７ａには入力軸１８が設けられ、後方の走行系伝動ケース１３内の伝動機構部から分岐するＰＴＯ動力出力ボックス１９にＰＴＯ軸２０を設け、両軸をユニバーサルジョイント２１によって連動連結している。２７は他方の入力伝動ボックス１７ｂに動力を伝達する中間伝動軸である。上記各入力伝動ボックス１７ａ，１７ｂ内にはベベルギヤを主体とする伝動機構を内蔵し、水平軸心回りの回転を垂直軸心回りの回転に変更して伝動するよう構成している。
【００１４】
また、回転刈刃に対する伝動構成は、図６に示すように構成してもよい。即ち、左右一対の回転刈刃１３，１３を縦方向に軸架した伝動軸１４の下部に軸着して設け、該伝動軸１４の上部にはそれぞれ伝動プーリ１５，１５を軸着して伝動可能に構成している。この場合、伝動軸１４は、左右のモーアデッキ５の中心部位に固定支持されている軸受部材１６，１６に軸受され、前部中央の入力軸１８ａからベルト伝動で各プーリ１５，１５を夫々伝動する構成としている。
【００１５】
なお、３５はエンジンで、前記ブロワー２４、走行前輪１，１、後輪９，９、及びＰＴＯ軸２０等を回転連動する。
次いで刈草の搬送処理について、符号２３は刈草搬送筒を示し、左右両側の回転刈刃１３，１３の間に搬送始端部が開口し、後方に延長して車体２のブロワー２４（図１参照）に接続した構成としている。なお、刈草搬送筒２３は、モーアデッキ５に固着された短筒２３ａと、ブロワー２４のケース２４ａに固定された傾斜案内筒２３ｂとからなり、一方ブロワー２４のケース２４ａには上方に向けて延長状態に揚上筒２４ｂを設け、該揚上筒２４ｂの排出口をコンテナ２６内にのぞませている。
【００１６】
前記左右の回転刈刃１３，１３は、図７に示すように、それぞれ回転羽根２５，２５を設け、回転に伴って起風しながら刈草を前記刈草搬送筒２３ａの搬送始端部側に跳ね飛ばし、吸引風（前記ブロワー２４の起風による）の働いている圏内に送る構成としている。
【００１７】
このようにして、回転刈刃１３，１３によって刈取られた刈草は、回転羽根２５，２５によって跳ね出されて刈草搬送筒２３の搬送始端部に達し、更に、前記ブロワー２４の吸引風力を受けて筒２３内を吸引されて車体後部の刈草コレクタ装置２６まで搬送されて貯留される構成となっている。
【００１８】
つぎに、昇降リンク６，６は、図３、及び図４に示すように、左右一対が前部機枠３の下側に形成された下方空間部７の両側に配置され、基部を、前輪１，１を駆動する伝動ギヤ群を配設した左右のファイナルケース２８，２８の最中状の合わせ面に共締めして設けた取付プレート２９，２９に枢着支持して設け、前方側に延長して前端部に左右一体のモーアデッキ５を連結ピン３０，３０で着脱自由に連結した構成としている。なお、モーアデッキ５は、後端下部が後部リンク３１で車体２側に着脱自由に連結され、前後に設けたゲージ輪２２と共に、姿勢保持ができる構成としている。
【００１９】
そして、昇降リンク６，６は、図３、図５、及び図６に示すように、実施例の場合、平面視で先端部分６ａ，６ａを左右の間隔が広い平行な一定長さに形成し、中間部から左右を内側に傾斜させた中間部分６ｂ，６ｂを形成し、それに連続させて平行な狭い間隔の基端部分６ｃ，６ｃを形成した杆から構成している。そして、Ｌ型連結杆３２，３２は、図５に示すように、前記先端部分６ａ，６ａと中間部分６ｂ，６ｂとが接合する部位に形成されているコーナの内側に両端を溶接で固着して連結した構成としている。
【００２０】
そして、上記Ｌ型連結杆３２，３２は、リフトロッド３３を連結する取付部材３４を枢着状態に連結支持した構成としている。そして、取付部材３４は、図２、及び図４に示すように、上側のリフトアーム３６（後部が定位置の回動支点）の先端部に接続したリフトロッド３３に着脱自在に連結して設け、後方に装備した昇降油圧シリンダ３７から連動アーム３８を介して左右一対の昇降リンク６，６を上下に昇降する構成としている。
【００２１】
このように、昇降リンク６，６は、先端部分６ａ，６ａと中間部分６ｂ，６ｂとが接続する杆材の中間部位に形成したコーナ部にＬ型連結杆３２，３２を溶接で連結して補強し、モーアデッキ５の吊り下げに充分耐える強度に強化すると共に、このＬ型連結杆３２，３２を取付け支持部材として利用して取付部材３４を連結した特徴がある。そして、昇降リンク６，６は、前述のとおり、基部を前輪１，１のファイナルケース２８，２８を利用して共締めした取付プレート２９，２９に支持する構成としたから、充分な強度が確保できると共に取付け支持の構成が簡単になった特徴がある。
【００２２】
つぎに、延長アーム８は、図５、及び図６に示すように、横断面を、前記昇降リンク６，６に重ね合わせて嵌合できる程度のコ字型に形成し、前記昇降リンク６，６の先端部分６ａ，６ａに下側から重ね合わせられる程度の長さとして、基部を前記昇降リンク６の先端部分（連結ピン３０を挿通する支持部３９のすぐ後の位置）に枢着部Ｐとして昇降リンク６，６に重ね合わせて沿わせた状態と、前方側へ回動して延長する状態とに折り畳み自由に構成している。そして、延長アーム８は、図５に示す延長した状態で、先端側から順番に、連結孔４０、姿勢保持孔４１、延長位置固定孔４２（延長時には昇降リンク６の支持部３９と合わせて連結ピン３０で固定する）を設けて構成している。
【００２３】
以上のように構成した延長アーム８は、図６の仮想線で示すように、モーアによる芝草刈取作業中でモーアデッキ５を昇降動作させるときには、枢着部Ｐを支点に昇降リンク６に沿わせて基部側に折り畳んで、前記連結孔４０を昇降リンク６の止め孔４４に重ね合わせて、固定ピン４３を挿し込んで固定し、昇降油圧シリンダ３７による昇降を行いながら所定に芝草刈取作業を行う。
【００２４】
つぎに、モーアデッキ５をメンテナンスを行うなどのために起立するときには、まず、モーアデッキ５は、入力伝動ボックス１７のユニバーサルジョイント１８（図３参照）を、車体２側から延長した伝動軸２１の前端部から取り外して分離し、つぎに、昇降リンク６，６の前端の支持部３９から連結ピン３０，３０を抜き取って切り離す。更に、モーアデッキ５は、刈草搬送筒２３を途中で車体２側と分離し、後部リンク３１も分離して、車体２との連結部を全て分離する。
【００２５】
続いて、昇降リンク６，６は、図５、及び図６に示すように、固定ピン４３を抜き取って、延長アーム８を、枢着部Ｐを支点にして前側に回動して延長状態に位置し、リンク６側の支持部３９にアーム８側の延長位置固定孔４２を重ね合わせて前記固定ピン４３を挿し込んで延長状態に保持して固定する。
【００２６】
そして、モーアデッキ５は、作業車両４を若干後退させて、相対的に延長アーム８の長さ程度、前側に移動させ、前側に伸ばしている延長アーム８の先端部の連結孔４０に、連結ピン３０，３０によって連結する。そして、モーアデッキ５を上昇移動させるが、図示を省略している昇降レバーを操作して、まず、昇降油圧シリンダ３７に作動油を供給して伸長させる。すると、モーアデッキ５は、昇降油圧シリンダ３７に伸長に伴って、連動アーム３８、リフトアーム３６、リフトロッド３３、取付部材３４、Ｌ型連結杆３２を介して昇降リンク６，６が基部を支点にして前部が上昇し、前部機枠３の前側に起立状態に姿勢が変更される。
【００２７】
そして、モーアデッキ５が、図２に示すように、後部のゲージ輪２２が接地して起立状態に達したとき、オペレータは、上昇操作を停止して、延長アーム８の姿勢保持孔４１をモーア側の係止孔４６に合わせて係止ピンを挿し通して起立姿勢を保持することができる。
【００２８】
このように、モーアデッキ５は、図２に示すように、車体２の前部機枠３の前側で起立状態に位置が固定されると、底面が前側に向いて内部（回転刈刃１３など）が露出状態になり、回転刈刃１３等の清掃やメンテナンスを容易に行うことができる。
【００２９】
なお、延長アーム８は、上記実施例においては、昇降リンク６，６の前部に折り畳み式に連結して構成したが、これを引き出し式に構成することは自由であって、昇降リンク６，６内部に収納する構成にすればよい。
【００３０】
以上述べたように、本件発明の実施例は、モーアデッキ５が作業姿勢にあるときには、モーアデッキ５のほとんどの部分が、前部機枠３の下方空間部７内に位置するように、車体２側に装備しているから、モーアデッキ５と車体２とを合わせた前後の長さを短くすることができる。したがって、フロントモーアを装備した構成でありながら、そのモーアの回転刈刃回転の外周が前部機枠３の前端からやや前位となる程度に設定でき、作業車両は全長が短く、走行作業中に小回りが効いて、旋回等が楽にでき、作業を効率的に行うことができるものとなっている。
【００３１】
そして、実施例は、モーアデッキ５を、昇降時に前側に寄せる機構がきわめて簡単な収納・折り畳み式に設けた延長アーム８で構成するから、収納位置と使用位置との切り替えが簡単にできる利点があると共に、使用時に嵩張ることがなく、昇降移動に何の支障にもならない優れたものとなった。
【００３２】
そして、実施例は、モーアデッキ５を前方側に寄せる機構を、簡単な延長アーム８から構成し、この延長アーム８の不使用時には昇降リンク６側に収納して芝草の刈取作業中といえども、ほとんど邪魔にならない。また延長時には上記延長アーム８を昇降リンク６から前方に延長して固定し、モーアデッキ５を付け替えるだけの簡単な操作で、モーアデッキ５を確実に前側に寄せることができて前部機枠３の前側に起立状態のメンテナンスが容易にできる姿勢にすることができる。
【００３３】
つぎに、図７、乃至図１０に示す実施例について説明する。
まず、下部に回転刈刃１３，１３を軸着した左右の伝動軸１４，１４は、既に説明したように、上部に伝動プーリ１５、１５が軸着して設けられ、ベルト５０による伝動構成になっている。この場合、伝動機構は、入力ボックス５１の駆動プーリ５２と上記伝動プーリ１５，１５との間に前記ベルト５０が掛け回され、各コーナ部には中間プーリ５３を設けて構成している。そして、連結部材５４は、図７、及び図８に示す実施例の場合、鉄製の杆材から形成して、両側の軸受部材１６，１６の上面にそれぞれ固着した左右のプーリベース５５，５５に、中間位置の刈草搬送筒２３を跨いだ逆Ｕ字形状にして両端を連結固定した構成としている。
【００３４】
又、図９、及び図１０に示す実施例の連結部材５４，５４は、鉄板で形成して、左右の軸受部材１６，１６に連結板５６，５６を介して連結した構成としている。
このように、モーアデッキ５は、左右両側に回転刈刃１３，１３を軸着した縦方向の伝動軸１４，１４の上部に伝動プーリ１５，１５を設けてベルト５０を巻き掛けて伝動すると、ベルト５０の張力が強く、しかも、各中間プーリ５３がテンション機能を有しない固定プーリーであるから、左右のモーアデッキ５の中間部位に曲げ応力が働いて左右両側が上方に向けて変形することがあり、破損の原因になっていた。
【００３５】
したがって、上記実施例は、左右のモーアデッキ５を鉄製の連結部材５４で強固に連結することによって、ベルト５０の伝動時に発生する張力に抗してモーアデッキ５の曲がり、変形を未然に防止して、常に円滑なベルト伝動を保ちながら破損を防止できる特徴がある。
【００３６】
つぎに、刈草を貯留する刈草コレクタ装置２６について実施例を説明する。
まず、コレクタフレーム５８は、図１１に示すように、車体フレーム５９の後部外側において、左右両側の側部フレーム５８ａと、後側の後部フレーム５８ｂとで囲むように形成して枠組みした構成としている。そして、車体フレーム５９は、図面に示すように、側部に取付用アーム６０を横外向きに突出させて設け、後部を複数の取付孔６１を有する取付フレーム６２に形成した構成としている。そして、前記取付用アーム６０は、先端側に上側取付面６０ａと後側取付面６０ｂとを形成して、上側取付面６０ａにロプス６３の下端部を固着し、後側取付面６０ｂには前記側部フレーム５８ａの前端面を取付けて構成している。そして、コレクタフレーム５８は、図面に示すように、後部フレーム５８ｂを前記取付フレーム６２の取付孔６１にねじで取り付けた構成としている。そして、コレクタフレーム５８には、リフトシリンダの取付金具６５やリフトリンク取付金具６６などが設けられている。
【００３７】
このように、コレクタフレーム５８は、ロプス６３と共に、車体フレーム５９に一体として連結した構成としたから、各フレーム５８，５９、ロプス６３が相互に強度メンバーとなって、全体として強度的に強い枠組み構成となった特徴がある。
【００３８】
つぎに、刈草を貯留するコンテナ７０の後部排草口７１に設けたガイド板７２と開閉板７３について説明する。
まず、ガイド板７２は、図１２に示すように、コンテナ７０の後部排草口７１の下側を塞ぐように、下部の支点軸７４に取り付けられ、上側には調節板７５を高さを調節する調節ねじ７６によって調節できる構成としている。そして、前記支点軸７４は、図面に示すように、外側に延長した部分に設けた張圧スプリング７７によって後部排草口７１を閉る方向（上方）に張力が働く構成としている。
【００３９】
したがって、ガイド板７２は、図１３に示すように、コンテナ７０を上下シリンダ７８を伸張して排出角度までダンプ作用して転倒したとき、刈草の重量で前記張圧スプリング７７の張力に抗して開く構成となっている。そして、ガイド板７２は、下方に開いたときには排出する刈草が車体２側に振りかからないように遠方に排出することができ、排出が完了すると、張圧スプリング７７の復元力によって、支点軸７４が逆に回されて閉まる側に復帰することができる。
【００４０】
そして、開閉板７３は、図１３に示すように、コンテナ７０の下部機枠７９に基部を枢着した下部リンク８０の先端部と、一端部を開閉板７３に固着した上部固定リンク８１の下端部とを枢着・連結して設け、コンテナ７０のダンプ作用に関連して開閉できる構成としている。この場合、開閉板７３は、図１３に示すように、実線で示す作業位置では、下部リンク８０と上部固定リンク８１とによって閉まり位置にロック状態で固定され、排出時のダンプ作用によって、仮想線の位置に達すると、上記下部リンク８０と上部固定リンク８１との作用で後部排草口７１を開くことができる。
【００４１】
このように、開閉板７３は、刈取作業時には、閉まり位置でロック状態に保持されて開くことなく刈草を貯留することができ、コンテナ７０が上下シリンダ７８を伸長してダンプすると、ダンプ作用に関連してリンク機構によって作動して排草口を自動的に開けることができる特徴を有する。
【００４２】
つぎに、刈草コレクタ装置２６の内部に設けた満杯センサ８５の実施例を図１４、乃至図１６に基づいて説明する。
まず、満杯センサ８５は、図面に示すように、刈草コレクタ装置２６の側壁８６の内側に垂下状態に設けるが、実施例では、外側に設けた支持装置８７に回転自由に軸架したセンサ軸８８を、前記側壁８６に縦方向に設けた調節長孔８９を貫通させて室内に延長し、これに検出板８５ａを吊り下げ状態に設けて構成している。この場合、前記支持装置８７は、図１４に示すように、側壁８６に設けた前記調節長孔８９の両側に同方向に設けた調節長孔９０，９０に取付ねじ９１，９１を係合して上下調節自在とし、調節した位置で固定できる構成としている。
【００４３】
そして、センサ圧調節スプリング９２は、図面に示すように、前記センサ軸８８の外側の軸受部材９３に巻き付けて一端をその軸受部材９３に取り付け、他端をセンサ圧調節レバー９４に連結して構成している。そして、前記軸受部材９３は、センサ軸８８とピン９５で連結して一体とし、センサ圧調節スプリング９２の張圧力が伝達できる構成としている。そして、ストッパー９６は、満杯センサ８５の検出板８５ａが後方（前記センサ圧調節スプリング９２の解ける側）に回転できないように規制する位置に設け、前記センサ圧調節スプリング９２の張圧力が解けないように規制、保持する構成としている。
【００４４】
そして、センサ圧調節レバー９４は、基部を前記センサ軸８８に遊嵌させて、支持装置８７に設けた調節位置固定板９８上に、回動調節自由に設け、調節位置でスプリングに張圧させたスチールボール９９で調節位置の位置決めができる構成としている。
【００４５】
そして、センサスイッチ１００は、図１４、及び図１５に示すように、前記ストッパー９６に接続して設けており、前記検出板８５ａが、貯留されて増えてくる刈草に押圧されて順次草圧が高くなって、前記センサ圧調節スプリング９２の張圧力に抗して矢印（イ）の方向に回動してストッパー９６から離れると、図外のコントローラに検出信号を入力する構成としている。そして、コントローラは、入力された検出信号に基づいて、満タンに達したことを警報したり、モニタ表示を行う構成としている。
【００４６】
以上、説明したように、実施例に係る満杯センサ８５は、センサ圧調節スプリング９２を設けて、刈草の充填する度合いを牧草の品種や含水率等に応じて調節しながら刈取作業ができる特徴がある。更に、実施例の満杯センサ８５は、検出板８５ａの高さを上下に位置調節ができるから、草の種類やその他の条件に合わせて室内の充填量を変更できる特徴がある。
【００４７】
つぎに、刈草コレクタ装置２６の内部に設けた刈草拡散装置１０５について、図１６、及び図１７に基づき説明する。
まず、刈草案内装置１０５は、図面に示すように、既に説明した刈草搬送筒２３に連通させた刈草排出口１０６の正面に対応させて、天井１０７に軸架して垂下状態に設けた縦軸１０８に２枚の羽根１０９を取り付けて構成している。
【００４８】
そして、縦軸１０８は、図面から解るように、前記天井１０７の上面に装備した電動モータ１１０に伝動可能に接続して回転駆動する構成としている。電動モータは所謂ギヤードモータ形態とされ縦軸１０８との間には比較的減速率の高い電動ギヤ群を配設してゆっくりと羽根１０９を回転連動するもので、搬送芝草はこの羽根１０９によって拡散されるよりもむしろ排出案内方向を順次に変更されながら芝草をコンテナ２６内に拡散させるものである。この電動モータ１１０は例えば、運転席近傍に設けた起動スイッチ（図示せず）による。
【００４９】
なお、縦軸１０８の回転は、実施例の場合、平面視で右回転に構成するが、左回転、又は左右交互の往復回転等、自由に選択することができる。
以上のように、実施例の刈草拡散装置１０５は、刈草排出口１０６から刈草コレクタ装置２６の室内に排出される刈草に対して、電動モータ１１０を駆動して縦軸１０８を介して羽根１０９を回転しながら、直接左・右方向あるいは後方に排出案内しながら拡散することができる。
【００５０】
このように、実施例は、回転する羽根１０９によって刈草を刈草コレクタ装置の室内に拡散して万遍に充填することが可能であって、充填率を大幅に向上できる特徴がある。
【図面の簡単な説明】
【００５１】
【図１】全体側面図
【図２】モーアデッキをリフトアップして起立姿勢とした側面図
【図３】モーアデッキの平面図
【図４】モーアデッキの作業姿勢を示す側面図
【図５】昇降リンクの平面図
【図６】昇降リンクに設けた延長アームの作用側面図
【図７】一部断面したモーアデッキの背面図
【図８】モーアデッキの平面図
【図９】一部断面したモーアデッキの側面図
【図１０】モーアデッキの平面図
【図１１】フレーム構成の斜面図
【図１２】ガイド板の支持機構の斜面図
【図１３】刈草コレクタ装置の作用図
【図１４】満杯センサの支持機構の側面図
【図１５】満杯センサの支持機構の一部断面した背面図
【図１６】満杯センサを設けた刈草コレクタ装置の内部側面図
【図１７】刈草拡散装置の作用平面図
【符号の説明】
【００５２】
１，１  前輪
２  車体
３  前部機枠
４  作業車両
５  モーアデッキ
６  昇降リンク  
６ａ  先端部分
６ｂ  中間部分
６ｃ  基端部分
７  下方空間部
８  延長アーム
【図１】
2007143481.tif 000003
【図２】
2007143481.tif 000004
【図３】
2007143481.tif 000005
【図４】
2007143481.tif 000006
【図５】
2007143481.tif 000007
【図６】
2007143481.tif 000008
【図７】
2007143481.tif 000009
【図８】
2007143481.tif 000010
【図９】
2007143481.tif 000011
【図１０】
2007143481.tif 000012
【図１１】
2007143481.tif 000013
【図１２】
2007143481.tif 000014
【図１３】
2007143481.tif 000015
【図１４】
2007143481.tif 000016
【図１５】
2007143481.tif 000017
【図１６】
2007143481.tif 000018
【図１７】
2007143481.tif 000019